(57)【特許請求の範囲】
【請求項１】
一枚のブランクシートから一体的に打ち抜かれた箱体形成片から成り、この箱体形成片には、互いに平行に連接された側面と、前記側面端部に形成された上蓋片と、他の側面の前記上蓋片側の端縁部に連接して形成されたフラップと、前記フラップの延出方向に、前記フラップの幅よりも狭い幅の部分を有して前記フラップに連続し前記フラップの裏面に糊付けされる糊付部と、前記糊付部に連接して前記糊付部よりも大きい緩衝部が設けられ、前記箱体形成片を箱体に組み立てた状態で、前記側面により形成された開口部を閉鎖するように前記フラップを前記側面に対して９０度に折ると、前記緩衝部は、その先端部が前記側面の裏面に当接するとともに、前記フラップから起き上って箱体の内側に突出し、箱体の収容物に緩衝的に当接することを特徴とする緩衝機能付包装用箱。
【請求項２】
前記糊付部は、前記フラップの端部の一部に連続し前記フラップよりも小さく形成され、前記フラップの端部の前記糊付部の横には、前記フラップの先端部から連続し前記糊付部よりも長く帯状に形成された緩衝保持部が設けられ、前記糊付部は前記緩衝部と折罫線で区切られ、前記箱体形成片を箱体に組み立てた状態で、前記側面により形成された開口部を閉鎖するように前記フラップを前記側面に対して９０度に折ると、前記緩衝保持部は箱体の内側に向かって湾曲して立体的に形成されることを特徴とする請求項１記載の緩衝機能付包装用箱。
【請求項３】
前記緩衝保持部と前記糊付部は、前記フラップの端部から前記緩衝部に食い込んで延びた帯状のスリットにより分離され、前記緩衝保持部の先端部と前記緩衝部の端縁とが細い折曲部により連結されていることを特徴とする請求項２記載の緩衝機能付包装用箱。
【請求項４】
前記緩衝部は、前記糊付部の端部に前記フラップと前記糊付部との間の折罫線に対して交差する折罫線で区切られて設けられ、前記箱体形成片を箱体に組み立てた状態で、前記側面により形成された開口部を閉鎖するように前記フラップを前記側面に対して９０度に折ると、前記糊付部は前記フラップと共に折られ、前記緩衝部の先端が前記側面に当接し前記糊付部と前記緩衝部の間の折罫線で折り曲げられ、前記箱体の内側に向かって凹状に湾曲して立体的に形成されることを特徴とする請求項１記載の緩衝機能付包装用箱。
【発明の詳細な説明】
【技術分野】
【０００１】
この発明は、ビンやチューブに充填された化粧品等の商品を個別に収容する包装用箱に関する。
【背景技術】
【０００２】
従来、液体の化粧品等に使用される化粧ビンを個別に収容する包装用箱は、化粧ビンが箱体の内側でがたつかないように緩衝機能が設けられており、特に、一枚のブランクシートから打ち抜かれた箱体形成片と一体に、緩衝機能を有する緩衝片が設けられているものが多く知られている。例えば、特許文献１に開示されている包装用箱は、一枚のブランクシートから一体的に打ち抜かれた箱体形成片により組み立てられ、この箱体形成片は平行に連接された４側面と糊付片とを有している。一側面の一端部に形成された上蓋片と、この一側面に隣接する側面の上蓋片側の端部に形成されたフラップが備えられ、このフラップの端部に連接して形成した折返部と、この折返部の端部に連接して形成された糊付け部が設けられている。そして、前記フラップを前記側面同士で形成された開口部を閉鎖するように前記側面に対して９０度に折ると、前記折返部が箱体の内側に向かって湾曲して化粧ビンの上面部分に当接し、緩衝的に押さえるものである。
【特許文献１】特開平１０−８６９３３号公報
【発明の開示】
【発明が解決しようとする課題】
【０００３】
上記背景技術の場合、商品を垂直方向にがたつきをなくして商品を保護するものであり、水平方向のがたつきをなくすことはできないものであった。近年、液体の化粧品等が充填される容器は、外観が綺麗にデザインされており、キャップも綺麗なものが使用されている。このようなキャップや容器は、包装用箱の中でがたつくと包装用箱の裏面に擦られて傷が付いたり塗装が剥がれたりすることがあり、これを防ぐために高い緩衝機能を有し水平方向のがたつきを防ぐ包装用箱が求められていた。
【０００４】
この発明は、上記背景技術の問題点に鑑みてなされたものであり、簡単な構造でフラップ等を折り曲げる簡単な操作により、水平方向にも緩衝機能を有する緩衝部が形成され、収容物を確実に保護することができる緩衝機能付包装用箱を提供することを目的とする。
【課題を解決するための手段】
【０００５】
本発明は、一枚のブランクシートから一体的に打ち抜かれた箱体形成片から成り、この箱体形成片には、互いに平行に連接された側面と、前記側面端部に形成された上蓋片と、他の側面の前記上蓋片側の端縁部に連接して形成されたフラップと、前記フラップの延出方向に、前記フラップの幅よりも狭い幅の部分を有して前記フラップに連続し前記フラップの裏面に糊付けされる糊付部と、前記糊付部に連接して前記糊付部よりも大きい緩衝部が設けられ、前記箱体形成片を箱体に組み立てた状態で、前記側面により形成された開口部を閉鎖するように前記フラップを前記側面に対して９０度に折ると、前記緩衝部は、その先端部が前記側面の裏面に当接するとともに、前記フラップから起き上って箱体の内側に突出し、箱体の収容物に緩衝的に当接する緩衝機能付包装用箱である。
【０００６】
さらに、前記糊付部は、前記フラップの端部の一部に連続し前記フラップよりも小さく形成され、前記フラップの端部の前記糊付部の横には、前記フラップの先端部から連続し前記糊付部よりも長く帯状に形成された緩衝保持部が設けられ、前記糊付部は前記緩衝部と折罫線で区切られ、前記箱体形成片を箱体に組み立てた状態で、前記側面により形成された開口部を閉鎖するように前記フラップを前記側面に対して９０度に折ると、前記緩衝保持部は箱体の内側に向かって湾曲して立体的に形成されるものである。
【０００７】
前記緩衝保持部と前記糊付部は、前記フラップの端部から前記緩衝部に食い込んで延びた帯状のスリットにより分離され、前記緩衝保持部の先端部と前記緩衝部の端縁とが細い折曲部により連結されている。
【０００８】
また、前記緩衝部は、前記糊付部の端部に前記フラップと前記糊付部との間の折罫線に対して交差する折罫線で区切られて設けられ、前記箱体形成片を箱体に組み立てた状態で、前記側面により形成された開口部を閉鎖するように前記フラップを前記側面に対して９０度に折ると、前記糊付部は前記フラップと共に折られ、前記緩衝部の先端が前記側面に当接し前記糊付部と前記緩衝部の間の折罫線で折り曲げられ、前記箱体の内側に向かって凹状に湾曲して立体的に形成されるものである。
【発明の効果】
【０００９】
本発明の緩衝機能付包装用箱は、簡単な構造で、フラップ等を側面に対して折り曲げる簡単な操作により、水平方向に緩衝機能を有する緩衝部が形成され、収容物を確実に保護することができるものである。
【発明を実施するための最良の形態】
【００１０】
以下、この発明の実施形態について図面に基づいて説明する。図１〜図４はこの発明の第一実施形態の緩衝機能付包装用箱１０を示すものであり、この実施形態の緩衝機能付包装用箱１０は、紙製等の一枚のブランクシートを打ち向いて形成された箱体形成片１２を組み立てて設けられている。
【００１１】
図３は箱体形成片１２を表面から見た展開図であり、箱体形成片１２は、側面１４，１６，１８，２０が、互いに平行に連接して形成されている。側面１４，１６，１８，２０はほぼ同じ大きさの矩形であり、連接している幅方向は連接方向の長さよりも長く形成されている。さらに、側面１４の側縁部には、緩衝機能付包装用箱１０の組立状態で側面２０の裏面に糊付けされる糊付片２２が設けられている。糊付片２２、側面１４，１６，１８，２０は、各々折罫線２４，２６，２８，３０で区切られている。
【００１２】
側面１４において、側面どうしの連接方向に対して直角な方向の一端部には、底蓋片３２が折罫線３４で区切られて設けられている。底蓋片３２の折罫線３４の反対側の端部には、さらに差込片３６が折罫線３８で区切られて設けられている。折罫線３８の両端部には、差込片３６が後述するフラップ４０，７４と係止しやすいように短い切込線が設けられている。
【００１３】
側面１６の、側面１４の折罫線３４に隣接する端部には、台形状のフラップ４０が折罫線４２で区切られて設けられている。側面１６の、折罫線４２と反対側の端部には、台形状のフラップ４４が折罫線４６で区切られて設けられている。フラップ４４の、折罫線４６と反対側の端部には、側面１４の折罫線２６に近い位置に、矩形の糊付部４８が折罫線５０で区切られて設けられている。糊付部４８は折罫線４６方向の幅が折罫線４６よりも狭く形成され、糊付部４８の折罫線５０からその反対側の折罫線５４までの間隔は、フラップ４４の折罫線４６から折罫線５０までの幅よりも狭い。糊付部４８の折罫線５４には、ほぼ矩形の緩衝部５２が設けられている。緩衝部５２は、連接方向に糊付部４８とフラップ４４をあわせた長さよりも長く、連接している幅方向はフラップ４４の折罫線４６と反対側の端部とほぼ等しい。
【００１４】
フラップ４４の、折罫線４６と反対側の端部の、側面１６の折罫線２８に近い位置、即ち糊付部４８が設けられていない位置には、緩衝保持部５６が折罫線５０から延長した折罫線５８で区切られて設けられている。緩衝保持部５６は、折罫線５８に対してほぼ直角に延出する帯状に形成され、糊付部４８の横を通過して、折罫線５４を通過して、緩衝部５２に連接している。緩衝保持部５６の緩衝部５２側の先端は、緩衝部５２の側面１８に近い側縁部５２ａの中間付近に達し、緩衝部５２の側縁部５２ａからほぼ直角に中心にむけて設けられた第一スリット６０で区切られている。緩衝保持部５６の糊付部４８側の側縁部は、第二スリット６２で区切られている。第二スリット６２は、折罫線５８からほぼ直角に一定幅で延出し、折罫線５４の横で折れ曲がり、側縁部５２ａと反対側に彎曲して離れる形状に設けられている。これにより、緩衝保持部５６の側縁部は彎曲して、後述する収容物のキャップ１０８の外周面が嵌合される凹状の形状となる。第一スリット６０と第二スリット６２の先端は互いに近づいて位置し、その間がわずかな幅で切り残されて折曲部６３が設けられている。緩衝保持部５６の中心には、長手方向に沿って剛性を高めるための折罫線６４が設けられている。
【００１５】
側面１８の、側面１６の折罫線４６に隣接する端部には、上蓋片６６が折罫線６８で区切られて設けられている。上蓋片６６の反対側の端部には、さらに差込片７０が折罫線７２で区切られて設けられている。
【００１６】
側面２０の、側面１８の折罫線６８から離れた端部には、台形状のフラップ７４が折罫線７６を介して設けられている。側面２０の、折罫線７６と反対側の端部には、台形状のフラップ７８が折罫線８０で区切られて設けられている。フラップ７８の、折罫線８０と反対側の端部には、側面１８の長手方向の中心線を仮想の対称軸として、糊付部４８、緩衝部５２、緩衝保持部５６に対して、線対称の形状の糊付部８２、緩衝部８６、緩衝保持部９０が設けられている。
【００１７】
詳しく説明すると、フラップ７８の、折罫線８０と反対側の端部で側面１８の折罫線３０から離れた位置に、矩形の糊付部８２が折罫線８４を介して設けられている。糊付部８２は折罫線８０方向の幅が折罫線８０よりも狭く形成され、糊付部８２の折罫線８４からその反対側の折罫線８８までの間隔は、フラップ７８の折罫線８０から折罫線８４までの幅よりも狭い。糊付部８２の折罫線８８には、ほぼ矩形の緩衝部８６が設けられている。
緩衝部８６は、連接方向に糊付部８２とフラップ７８をあわせた長さよりも長く、連接している幅方向はフラップ７８よりもやや短く、緩衝部８６の上蓋片６６から離れた側縁部８６ａは、糊付部８２の側縁部よりも内側に位置している。フラップ７８の、折罫線８０と反対側の端部の、側面１８の折罫線３０に近い位置に、緩衝保持部９０が折罫線８４から延長した折罫線９２で区切られて設けられている。緩衝保持部９０は、折罫線９２に対してほぼ直角に延出する帯体に形成され、糊付部８２の横を通過して、折罫線８８を通過して、緩衝部８６に達している。緩衝保持部９０の緩衝部８６側の先端は、緩衝部８６の、側面１８に近い側縁部８６ｂの中間付近に達し、緩衝部８６の側縁部８６ｂからほぼ直角に中心にむけて設けられた第一スリット９４で区切られている。緩衝保持部９０の糊付部８２側の側縁部は、第二スリット９６で区切られている。第二スリット９６は、折罫線９２からほぼ直角に一定幅で延出し、折罫線８８の横で折れ曲がり、側縁部８６ｂと反対側に彎曲して離れる形状に設けられている。これにより、緩衝保持部９０の側縁部は彎曲して、後述する収容物のキャップ１０８の外周面が嵌合される凹状の形状となる。第一スリット９４と第二スリット９６の先端は互いに近づいて位置し、その間がわずかな幅で切り残されて折曲部９７が設けられている。緩衝保持部９０の中心には、長手方向に沿って剛性を高めるための折罫線９８が設けられている。
【００１８】
次に、この実施形態の緩衝機能付包装用箱１０の組立方法の一例について説明する。なお、ここでは図３が緩衝機能付包装用箱１０の箱体形成片１２の表面を見たものであり、箱体形成片１２の表面が凸になる折り方を正折り、裏面が凸になる折り方を逆折りと称する。
【００１９】
まず、糊付部４８の裏面に糊１００を塗布し、折罫線５０を正折りし、フラップ４４の裏面が糊１００により糊付部４８の裏面に糊付けされる。これにより、緩衝部５２と緩衝保持部５６は側面１６の裏面に沿って折り重ねられる。次に糊付部８２の裏面に糊１０２を塗布し、折罫線８４を正折りし、フラップ７８の裏面が糊１０２により糊付部８２の裏面に糊付けされる。これにより、緩衝部８６と緩衝保持部９０は側面２０の裏面に沿って折り重ねられる。次に、折罫線２６を正折りして糊付片２２の表面に糊１０４を塗布し、さらに折罫線３０を正折りし、図４に示すように、側面２０の裏面が糊１０４により糊付片２２の表面に糊付けされる。このとき、緩衝部８６の側縁部８６ａは側面２０の側縁部から離れているため、糊付片２２が側面２０の側縁部に糊付けされるときに支障とならない。
【００２０】
次に、商品である液体の化粧品等が入れられた化粧ビン１０６を収容し包装する工場等において、折罫線２４，２６，２８，３０を各々９０度に正折りして、糊付けされた箱体形成片１２を四角形の箱体にする。
【００２１】
そして、側面１６の折罫線４６でフラップ４４を９０度に正折りする。これにより、糊付部４８はフラップ４４とともに水平方向に倒されるが、緩衝部５２は側面１６の裏面に沿って底蓋片３２方向へ移動し、糊付部４８と緩衝部５２の間の折罫線５４はほぼ９０度に逆折りされる。このとき、糊付部４８はフラップ４４よりも幅が狭いので、緩衝部５２は折罫線５４から下方に僅かに湾曲して側面１６の裏面に接する。また、緩衝保持部５６の折罫線５８側の端部は、フラップ４４の正折りにより、折曲部６３側の端部に近づいて距離が短くなり、緩衝保持部５６が箱体の内側に膨らむように湾曲して位置する。これにより、緩衝保持部５６とフラップ４４の間の折罫線５８と、緩衝保持部５６と緩衝部５２の間の折曲部６３は、約９０度に正折りされ、緩衝保持部５６が箱体の内側に向かって湾曲し立体的に形成される。
【００２２】
これと同様に、側面２０の折罫線８０でフラップ７８を９０度に正折りすると、糊付部８２はフラップ７８とともに水平方向に倒されるが、緩衝部８６は側面２０の裏面に沿って底蓋片３２方向へ移動し、糊付部８２と緩衝部８６の間の折罫線８８はほぼ９０度に逆折りされる。このとき、糊付部８２はフラップ７８よりも幅が狭いので、緩衝部８６は折罫線８８から下方に僅かに湾曲して側面２０の裏面に接する。また、緩衝保持部９０の折罫線９２側の端部は、フラップ７８の正折りにより、折曲部９７側の端部に近づいて距離が短くなり、緩衝保持部９０が箱体の内側に膨らむように湾曲して位置する。これにより、緩衝保持部９０とフラップ７８の間の折罫線９２と、緩衝保持部９０と緩衝部８６の間の折曲部９７は、約９０度に正折りされ、緩衝保持部９０が箱体の内側に向かって湾曲し立体的に形成される。
【００２３】
次に、折罫線６８で上蓋片６６を９０度に正折りし、差込片７０を折罫線７２で正折りし、差込片７０を側面１４の裏面に差し込んで係止し、上蓋片６６により上面部が形成される。
【００２４】
この後、商品である化粧ビン１０６を箱体の下方から、化粧ビン１０６の上端部より挿入する。化粧ビン１０６の上端部には、キャップ１０８が取付けられて内容物が密閉されている。緩衝保持部５６の側縁部は、図２に示すように、化粧ビン１０６のキャップ１０８の外周面の側面１６側に当接する。同様に、緩衝保持部９０の側縁部は、化粧ビン１０６のキャップ１０８の外周面の側面２０側に当接する。
【００２５】
次に、折罫線４２，７６でフラップ４０，７４を９０度に正折りし、その後折罫線３４で底蓋片３２を９０度に正折りし、差込片３６を折罫線３８で正折りし、差込片３６を側面１８の裏面側に差し込んで係止し、底蓋片３２により底面部が形成される。
【００２６】
この実施形態の緩衝機能付包装用箱１０は、箱体の開口部を閉鎖するフラップ４４，７８に緩衝部５２，８６と緩衝保持部５６，９０が設けられ、フラップ４４，７８を閉じると、緩衝部５２，８６と緩衝保持部５６，９０がフラップ４４，７８から箱体内側に立ち上り、化粧ビン１０６のキャップ１０８を水平方向及び垂直方向に緩衝的に保持することができる。そして、化粧ビン１０６の緩衝機能付包装用箱１０内でのがたつきをなくし、化粧ビン１０６やキャップ１０８が緩衝機能付包装用箱１０の側面１４，１６，１８，２０の裏面に擦れることによる傷や塗装の剥離を防ぎ、確実に保護することができる。これにより、化粧ビン１０６やキャップ１０８が綺麗なデザインで細かい凹凸や印刷で装飾されたものでも、安全に運搬や保管を行うことができる。また、緩衝保持部５６，９０には、長手方向に折罫線６４，９８が設けられ、当接するキャップ１０８の位置や揺れに合わせて折罫線６４，９８に沿って弾性的に折り曲げられ、高い緩衝機能を得ることができる。
【００２７】
次に、この発明の第二実施形態について図５〜図８に基づいて説明する。なお、ここで、上記実施形態と同様の部材は同様の符号を付して説明を省略する。この実施形態の緩衝機能付包装用箱１１０は、紙等の一枚のブランクシートを打ち抜いて形成された箱体形成片１１２を組み立てて設けられている。
【００２８】
図７は箱体形成片１１２を表面から見た展開図であり、側面１４，１６，１８，２０が互いに平行に連接して形成されている。側面１４の側縁部には、糊付片２２が設けられている。糊付片２２、側面１４，１６，１８，２０は、各々折罫線２４，２６，２８，３０で区切られている。
【００２９】
側面１６の、折罫線４２と反対側の端部には、台形状のフラップ１１６が折罫線１１８で区切られて設けられ、フラップ１１６の折罫線２８と連続する側縁部１１６ａは、折罫線１１８と反対側の端部との角部が斜めに切り欠かれている。フラップ１１６の、折罫線１１８と反対側の端部には、台形状の四角形の糊付部１２０が破断線１２２で区切られて設けられている。糊付部１２０は、フラップ１１６の斜めに切り欠かれた側縁部１１６ａの延長線上に傾斜した端部１２０ａが設けられている。糊付部１２０の端部１２０ａには、緩衝部１２４が破断線１２６で区切られて設けられている。緩衝部１２４は、変形した六角形であり、折罫線１１８に対してほぼ直角方向に長く形成され、長手方向に沿って複数の折罫線が形成されている。
【００３０】
側面２０の、折罫線７６と反対側の端部には、側面１８の長手方向の中心線を仮想の対称軸として、フラップ１１６と糊付部１２０、緩衝部１２４に対して、線対称の形状のフラップ１２８と糊付部１３２、緩衝部１３６が設けられている。
【００３１】
詳しく説明すると、側面２０の、折罫線７６と反対側の端部に台形状のフラップ１２８が折罫線１３０で区切られて設けられ、フラップ１２８の折罫線３０と連続する側縁部１２８ａは、折罫線１３０と反対側の端部との角部が斜めに切り欠かれている。フラップ１２８の、折罫線１３０と反対側の端部には、台形状の四角形の糊付部１３２が破断線１３４で区切られて設けられている。糊付部１３２は、フラップ１２８の斜めに切り欠かれた側縁部１２８ａの延長線上に傾斜した端部１３２ａが設けられている。糊付部１３２の端部１３２ａには、緩衝部１３６が破断線１３８で区切られて設けられている。緩衝部１３６は、変形した六角形であり、折罫線１３０に対してほぼ直角方向に長く形成され、長手方向に沿って複数の折罫線が形成されている。
【００３２】
次に、この実施形態の緩衝機能付包装用箱１１０の組立方法の一例について説明する。なお、ここでは図７が緩衝機能付包装用箱１１０の箱体形成片１１２の表面を見たものであり、箱体形成片１１２の表面が凸になる折り方を正折り、そして裏面が凸になる折り方を逆折りと称する。
【００３３】
まず、糊付部１２０の裏面に糊１４０を塗布し、破断線１２２を正折りし、フラップ１１６の裏面が糊１４０により糊付部１２０の裏面に糊付けされる。これにより、緩衝部１２４は側面１６の裏面に沿って折り重ねられる。次に、糊付部１３２の裏面に糊１４２を塗布し、破断線１３４を正折りし、フラップ１２８の裏面が糊１４２により糊付部１３２の裏面に糊付けされる。これにより、緩衝部１３６は側面２０の裏面に沿って折り重ねられる。次に、折罫線２６を正折りして糊付片２２の表面に糊１４４を塗布し、さらに折罫線３０を正折りし、図８に示すように側面２０の裏面が糊１４４により糊付片２２の表面に糊付けされる。
【００３４】
次に、化粧ビン１０６を収容し包装する工場等において、折罫線２４，２６，２８，３０を各々９０度正折りして四角形の箱体にする。
【００３５】
そして、側面１６の折罫線１１８でフラップ１１６を９０度に正折りする。糊付部１２０はフラップ１１６とともに水平方向に倒されるが、緩衝部１２４は側面１６の裏面に沿って押し下げられるため、糊付部１２０と緩衝部１２４の間の破断線１２６は逆折りされ、緩衝部１２４は糊付部１２０から破断線１２６で起き上り、箱体の内側に向かって凹状に湾曲して立体的に形成される。
【００３６】
これと同様に、側面２０の折罫線１３０でフラップ１２８を９０度に正折りすると、糊付部１３２はフラップ１２８とともに水平方向に倒されるが、緩衝部１３６は側面２０の裏面に沿って押し下げられるため、糊付部１３２と緩衝部１３６の間の破断線１３８は逆折りされ、緩衝部１３６は糊付部１３２から破断線１３８で起き上り、箱体の内側に向かって凹状に湾曲して立体的に形成される。
【００３７】
その後、折罫線６８で上蓋片６６を９０度に正折りし、差込片７０を折罫線７２で正折りし、差込片７０を側面１４の裏面に差し込んで係止し、上部の開口が閉鎖される。
【００３８】
この後、商品である化粧ビン１０６を箱体の下方から、化粧ビン１０６の上端部より挿入する。化粧ビン１０６の上端部には、キャップ１０８が取付けられて内容物が密閉されている。緩衝部１２４の表面は、化粧ビン１０６のキャップ１０８の外周面の側面１６側に当接する。また、緩衝部１３６の表面も、化粧ビン１０６のキャップ１０８の外周面の側面２０側に当接する。
【００３９】
次に、折罫線４２，７６でフラップ４０，７４を９０度に正折りし、その後折罫線３４で底蓋片３２を９０度に正折りし、差込片３６を折罫線３８で正折りし、差込片３６を側面１８の裏面側に差し込んで係止し、底蓋片３２により底面部が形成される。
【００４０】
この実施形態の緩衝機能付包装用箱１１０によれば、上記実施形態と同様の効果を有するものであり、フラップ１１６，１２８を側面１４，１６，１８，２０に対してほぼ９０度に正折りするだけの簡単な操作で緩衝部１２４、１３６が箱体の内側に傾斜して立ち上り、化粧ビン１０６のキャップ１０８を確実に保護することができる。緩衝部１２４、１３６はキャップ１０８に斜め上方から当接するため、水平方向と垂直方向の両方向に緩衝的に保持することができる。緩衝部１２４，１３６には、複数の折罫線が形成されているため、当接するキャップ１０８の位置や揺れに合わせて弾性的に折り曲げられ、高い緩衝機能を得ることができる。
【００４１】
なお、この発明の緩衝機能付包装用箱は、上記各実施形態に限定されるものではなく、糊付部や緩衝部の形状や大きさ、数等適宜変更可能である。収容する商品は化粧ビン以外にいろいろなものに使用することができる。緩衝機能付包装用箱の素材は、紙以外に、合成樹脂や、合成樹脂と紙を積層したもの等、自由に選択可能である。
【図面の簡単な説明】
【００４２】
【図１】この発明の第一実施形態の緩衝機能付包装用箱の斜視図である。
【図２】この実施形態の緩衝機能付包装用箱の縦断面図である。
【図３】この実施形態の緩衝機能付包装用箱の展開図である。
【図４】この実施形態の緩衝機能付包装用箱の組立工程を示す展開図である。
【図５】この発明の第二実施形態の緩衝機能付包装用箱の斜視図である。
【図６】この実施形態の緩衝機能付包装用箱の縦断面図である。
【図７】この実施形態の緩衝機能付包装用箱の展開図である。
【図８】この実施形態の緩衝機能付包装用箱の組立工程を示す展開図である。
【符号の説明】
【００４３】
１０  緩衝機能付包装用箱
１２  箱体形成片
１４，１６，１８，２０  側面
２２  糊付片
４４，７８  フラップ
４８，８２  糊付部
５２，８６  緩衝部
５６，９０  緩衝保持部
６０，９４  第一スリット
６２，９６  第二スリット
６３  折曲部
６６  上蓋片
【図１】
0005165467.tif 000002
【図２】
0005165467.tif 000003
【図３】
0005165467.tif 000004
【図４】
0005165467.tif 000005
【図５】
0005165467.tif 000006
【図６】
0005165467.tif 000007
【図７】
0005165467.tif 000008
【図８】
0005165467.tif 000009